(57)【要約】【課題】直接屋外に設置できるとともに、メンテナンス性に優れた監視カメラ装置を提供する。【解決手段】監視カメラ装置１は、撮像カメラ部２及び映像信号処理回路部３の各ハウジング４，５を防水とし、該撮像カメラ部２のハウジング４にハウジング部８を一体的に形成して、前面ガラス１４を払拭するワイパー装置６の駆動制御部７を一体的に収納したものであるから、撮像カメラ部２、映像信号処理回路部３及びワイパー装置６の電源線をまとめて一系統とすることができ、コスト低減を図ることができる。また、保守・点検の際には、従来装置のように監視カメラを一旦ケーシングから取り出す必要も無いから、メンテナンス性に優れる。【選択図】図２
2008160676.tif 000002
【特許請求の範囲】
【請求項１】
撮像カメラ部と映像信号処理回路部と、該撮像カメラ部と映像信号処理回路部とをそれぞれ格納するハウジングとから構成した監視カメラ装置において、
前記撮像カメラ部及び映像信号処理回路部の各ハウジングを防水とし、該撮像カメラ部のハウジングに、該ハウジングの前面ガラスを払拭するワイパー装置の駆動制御部を一体的に収納するようにしたことを特徴とする監視カメラ装置。
【請求項２】
前記撮像カメラ部と映像信号処理回路部とをそれぞれ収納したハウジングどうしを分離可能に結合したことを特徴とする請求項１に記載の監視カメラ装置。
【発明の詳細な説明】
【技術分野】
【０００１】
本発明は、屋外に設置する監視カメラ装置に関するものである。
【背景技術】
【０００２】
屋外に設置する監視カメラ装置は、雨水等の付着による監視能力の低下を防ぐためにワイパー装置が取付けられるのが普通である。
【０００３】
ワイパー装置を取付けた監視カメラ装置は、特開平８−２３４２７６号公報、特開２００４−１９８６６９号公報に開示されている。これらの公報に開示される監視カメラ装置のワイパー装置は、ハウジングに組み込んで一体的な形態としたカメラ装置を収納する防水保護用のケーシングに付設されている。
【０００４】
このため、監視カメラ用とワイパー装置用の２系統の電源線や信号線が必要となる。また、保守・点検等のメンテナンスの際には、監視カメラを防水保護用のケーシングから取り外さなければならない等問題点がある。
【特許文献１】特開平８−２３４２７６号公報
【特許文献２】特開２００４−１９８６６９号公報
【発明の開示】
【発明が解決しようとする課題】
【０００５】
本発明は、上記問題点を解決するためになされたものであり、直接屋外に設置できるとともに、メンテナンス性に優れた監視カメラ装置を提供することを目的とする。
【課題を解決するための手段】
【０００６】
上記問題点を解決するための請求項１に記載の監視カメラ装置は、撮像カメラ部と映像信号処理回路部と、該撮像カメラ部と映像信号処理回路部とをそれぞれ格納するハウジングとから構成した監視カメラ装置において、前記撮像カメラ部及び映像信号処理回路部の各ハウジングを防水とし、該撮像カメラ部のハウジングに、該ハウジングの前面ガラスを払拭するワイパー装置の駆動制御部を一体的に収納するようにしたことを特徴とする。
【０００７】
請求項２に記載の監視カメラ装置は、請求項１に記載の構成において、前記撮像カメラ部と映像信号処理回路部とをそれぞれ収納したハウジングどうしを分離可能に結合したことを特徴とする。
【発明の効果】
【０００８】
請求項１に記載の監視カメラ装置によれば、撮像カメラ部及び映像信号処理回路部の各ハウジングを防水とし、該撮像カメラ部のハウジングに、該ハウジングの前面ガラスを払拭するワイパー装置の駆動制御部を一体的に収納したものであるから、撮像カメラ部、映像信号処理回路部及びワイパー装置の電源線をまとめて一系統とすることができ、コスト低減を図ることができる。また、保守・点検の際には、従来装置のように監視カメラを一旦防水保護用のケーシングから取り出す必要も無いから、メンテナンス性に優れる。
【０００９】
請求項２に記載の監視カメラ装置によれば、撮像カメラ部と映像信号処理回路部とをそれぞれ収納したハウジングどうしを分離可能に結合したから、撮像カメラ部を収納するハウジングとして、ワイパー装置を備えたものを用いることにより、後付によりワイパー装置を備えた監視カメラ装置を構成できるメリットがある。この場合、撮像カメラ部と映像信号処理回路部を、ワイパー装置を備えないものとワイパー装置を備えない監視カメラ装置に共用できる。
【実施例】
【００１０】
本発明の実施例について添付図面を参照して説明する。図１は監視カメラ装置１の側面図、図２は斜視図、図３はハウジング４を取り外した状態の斜視図である。監視カメラ装置１は撮像カメラ部２と映像信号処理回路部３とから構成されている。図４のブロック図に示すように、撮像カメラ部２は撮像レンズ、カメラ制御回路、撮像素子（ＣＣＤ）及びＣＣＤ駆動回路等から構成されている。また、映像信号処理回路部３は、撮像素子からの映像信号を処理する映像処理回路（１），（２）及びネットワーク処理回路から構成されている。
【００１１】
上記撮像カメラ部２は、防水を施されたハウジング４に収納され、映像信号処理回路部３は、防水を施されたハウジング５に収納される。ハウジング４とハウジング５は分離可能且つ水密に結合される。
【００１２】
上記ハウジング４には、ワイパー装置６の駆動制御部７を収納するためのハウジング部８が一体的に形成されている。駆動制御部７を収納したハウジング部８は、後部開口を後ろ蓋９により水密に塞いでいる。ハウジング部８の前面には、ワイパー駆動軸１０が突出している。ワイパー駆動軸１０には、ワイパーアーム１１が取り付けられている。ワイパーアーム１１は、平行リンク機構１２により構成され、先端にワイパーブレード１３が取り付けられている。ワイパーブレード１３は、ハウジング４の前面の監視窓に嵌められた前面ガラス１４に付着する雨水等を払拭する。
【００１３】
上記ハウジング部８の後部下面には、コントローラに接続する制御信号用のケーブル接続部１５が形成されている。また、上記、ハウジング５の後部下面には、電源接続部１６及びモニター用信号及びパソコンに接続する制御信号用のケーブル接続部１７が形成されている。この電源接続部１６に接続する電源線（図示せず）から、撮像カメラ部２、映像信号処理回路部３及び駆動制御部７に電源が供給される。
【００１４】
上記に説明したように監視カメラ装置１は、撮像カメラ部２及び映像信号処理回路部３を収納する各ハウジング４，５を防水とし、該撮像カメラ部２のハウジング４にハウジング部８を一体的に形成して、前面ガラス１４を払拭するワイパー装置６の駆動制御部７を一体的に収納したものであるから、撮像カメラ部２、映像信号処理回路部３及びワイパー装置６の電源線をまとめて一系統とすることができ、コスト低減を図ることができる。また、保守・点検の際には、従来装置のように監視カメラを一旦防水保護用のケーシングから取り出す必要も無いから、メンテナンス性に優れる。
【００１５】
また、上記の監視カメラ装置１によれば、撮像カメラ部２と映像信号処理回路部３とをそれぞれ収納した防水ハウジング４，５の両者を分離可能に結合したから、撮像カメラ部２を収納するハウジングとして、ワイパー装置６を備えたものを用いることにより、後付によりワイパー装置６を備えた監視カメラ装置１を構成できるメリットがある。この場合、撮像カメラ部２と映像信号処理回路部３を、ワイパー装置を備えないものとワイパー装置を備えない監視カメラ装置に共用できるメリットがある。
【図面の簡単な説明】
【００１６】
【図１】監視カメラ装置の側面図である。
【図２】同、斜視図である。
【図３】ハウジング４を取り外した状態の斜視図である。
【図４】ブロック図である。
【符号の説明】
【００１７】
１  監視カメラ装置
２  撮像カメラ部
３  映像信号処理回路部
ハウジング
６  ワイパー装置
７  駆動制御部
８  ハウジング部
１６  電源接続部
【図１】
2008160676.tif 000003
【図２】
2008160676.tif 000004
【図３】
2008160676.tif 000005
【図４】
2008160676.tif 000006